(57)【要約】      （修正有）【課題】熱水殺菌効率を向上させるとともに、熱水殺菌処理時の電気脱イオン装置への影響を極力抑える医薬品用の純水製造装置の殺菌方法及び医薬品用の純水製造装置を提供する。【解決手段】逆浸透膜装置１２の透過水配管内に圧力センサー１４を配置するとともに、熱水を処理ラインＬ１及び循環ラインに循環させつつ、圧力センサーの出力が一定となるようポンプＰ１の回転数を制御する純水製造装置の殺菌方法、及び処理ラインＬ１に沿って、ポンプＰ１、熱交換器１１、逆浸透膜装置１２及び電気脱イオン装置１３を順に備え、逆浸透膜装置の濃縮水配管、電気脱イオン装置の濃縮水配管並びに電極水配管及び電気脱イオン装置の処理水配管を原水タンク１０と開閉バルブを介してそれぞれ接続する循環ラインを備え、逆浸透膜装置の透過水配管内に設置された圧力センサー１４と、圧力センサーの出力によりポンプの回転数を制御する制御装置１５とを備えた。【選択図】図１
2014124481.tif 000002
【特許請求の範囲】
【請求項１】
原水タンクと純水タンク又はユースポイントとを結ぶ処理ラインに沿って、ポンプ、熱交換器、逆浸透膜装置及び電気脱イオン装置を順に備え、前記逆浸透膜装置の濃縮水配管、前記電気脱イオン装置の濃縮水並びに電極水配管及び前記電気脱イオン装置の処理水配管を前記原水タンクと開閉バルブを介してそれぞれ接続する循環ラインを備えた純水製造装置の殺菌方法であって、
前記処理ラインの前記逆浸透膜装置の透過水配管内に圧力センサーを配置するとともに前記ポンプを回転数可変ポンプとして、熱水を前記処理ライン及び前記循環ラインに循環させつつ、前記圧力センサーの出力が一定となるよう前記回転数可変ポンプの回転数を制御することを特徴とする純水製造装置の殺菌方法。
【請求項２】
前記熱水は、前記原水タンクの原水を前記熱交換器で加熱することにより生成することを特徴とする請求項１記載の純水製造装置の殺菌方法。
【請求項３】
前記圧力センサーの出力は、０．０３０〜０．３０ＭＰａの範囲で一定とされることを特徴とする請求項１又は２記載の純水製造装置の殺菌方法。
【請求項４】
前記熱水の温度が６０℃以上であることを特徴とする請求項１乃至３のいずれか１項記載の純水製造装置の殺菌方法。
【請求項５】
前記原水タンクへの原水の供給を停止して、前記原水タンクに貯留されている原水を前記処理ライン及び前記循環ラインに循環させつつ、前記原水の少なくとも一部を系外に排出して前記原水を前記熱交換機で加熱することを特徴とする請求項１乃至４のいずれか１項記載の純水製造装置の殺菌方法。
【請求項６】
非加熱の原水を前記原水タンクに供給しつつ前記処理ライン及び前記循環ラインに循環させ、前記逆浸透膜装置の濃縮水の少なくとも一部を系外に排出することで前記純水製造装置の系内を冷却することを特徴とする請求項１乃至５のいずれか１記載の純水製造装置の殺菌方法。
【請求項７】
原水タンクと純水タンク又はユースポイントとを結ぶ処理ラインに沿って、回転数可変ポンプ、逆浸透膜装置及び電気脱イオン装置を順に備え、前記逆浸透膜装置の濃縮水配管、前記電気脱イオン装置の濃縮水配管並びに電極水配管及び前記電気脱イオン装置の処理水配管を前記原水タンクと開閉バルブを介してそれぞれ接続する循環ラインを備えた純水製造装置であって、
前記処理ラインの前記逆浸透膜装置の透過水配管内に設置された圧力センサーと、
前記圧力センサーの出力により前記回転数可変ポンプの回転数を制御する制御装置と、
を備えたことを特徴とする純水製造装置。
【請求項８】
さらに、前記処理ラインの前記回転数可変ポンプの後段に熱交換器を備えたことを特徴とする請求項７記載の純水製造装置。
【発明の詳細な説明】
【技術分野】
【０００１】
本発明は、医薬品用の純水製造装置の殺菌方法及び医薬品用の純水製造装置に係り、特に、逆浸透膜装置と電気脱イオン装置とを備えた医薬品用の純水製造装置を熱水で殺菌する殺菌方法及び医薬品用の純水製造装置に関する。
【背景技術】
【０００２】
従来、医薬品用の純水製造装置として、原水を貯留する原水タンクと純水タンク又はユースポイントとの間の処理ラインに、逆浸透膜装置と電気脱イオン装置とを順に配置した純水製造装置が知られている。医薬品用の純水は、このような純水製造装置により、市水等の原水からイオン成分、微粒子、有機物等が除去されて製造されている。
【０００３】
この純水製造装置を用いて医薬品用の純水を製造する場合には、医薬品用という性質上、定期的に系内の生菌を低減させる殺菌処理を行うことが日本薬局方によって要求されている。
【０００４】
この系内の殺菌の処理は、例えば６５℃以上の熱水を原水タンクから逆浸透膜装置と電気脱イオン装置を含む処理ラインに所定の時間通水させることにより行われる。十分な殺菌処理を行うために、殺菌処理は所定の時間以上、系内の熱水の温度が上記したような温度以上で安定に維持されるよう精密に管理することが望まれる。
【０００５】
また、殺菌処理の際には、電気脱イオン装置への高温での圧力によるダメージを避けるため、熱水は、通常運転時より低い圧力で通水することが望まれる。しかし、逆浸透膜装置の通水圧を低くした場合には逆浸透膜装置の透過水の水質が悪化して、電気脱イオン装置の通水基準に達しない水質の水が電気脱イオン装置に供給されるおそれがある。
【０００６】
このため、あらかじめ、逆浸透膜装置を含む処理ラインの、電気脱イオン装置の直前までを熱水で殺菌処理しておき、次に、熱水殺菌の済んだ逆浸透膜装置によって常温で処理された高い水質の水を熱交換器で加熱し電気脱イオン装置に通水して殺菌する方法がとられている（例えば、特許文献1参照）。
【０００７】
また、別の方法として、純水製造装置で処理された軟水を貯留するサブタンクを配置し、原水タンクをサブタンク内の軟水で置換するように循環系を構成した純水製造装置を用いる方法も提案されている（例えば、特許文献２参照）。
【０００８】
この方法によれば、殺菌処理の際に、純水製造装置で処理された軟水を加熱して循環させるため、通常運転時より低い圧力でも逆浸透膜装置の透過水をそのまま電気脱イオン装置に供給して殺菌処理を行うことができる。
【先行技術文献】
【特許文献】
【０００９】
【特許文献１】特許第３５７０３０４号明細書
【特許文献２】特許第４６１７６９６号明細書
【発明の概要】
【発明が解決しようとする課題】
【００１０】
ここで、逆浸透膜装置と電気脱イオン装置をそれぞれ殺菌処理する方法では、殺菌処理に時間がかかるという問題や、加熱のための蒸気を大量に使用するため、殺菌処理のランニングコストが高くなってしまうという問題がある。
【００１１】
一方、逆浸透膜装置と電気脱イオン装置を一括で通水して殺菌する方法では、例えば電気脱イオン装置へのダメージを防ぐように逆浸透膜装置への供給水圧を調節しつつ行うため、殺菌処理効率が低下するという問題がある。さらに、殺菌用の軟水を製造したり貯留したりする装置が必要であるので、生菌増殖の起こりやすい滞留部が多くなり、殺菌処理に時間がかかるという問題もある。
【００１２】
また、熱水通水後の系内の冷却に際しても、軟水を循環させて冷却する方法や、自然放冷する方法等が提案されている。しかしながら、前者の方法では滞留部を多くするという問題があり、後者の方法では冷却時間が長くなるという問題や、電気脱イオン装置の電圧を停止する時間が長くなって電気脱イオン装置への硬度蓄積量が多くなる等の問題があった。
【００１３】
また、熱水殺菌では、熱水温度が高いほど殺菌時間は短くてよいが、一方で高温であるほど純水製造装置を構成する部材がダメージを受けやすいという問題があり、熱水殺菌時間を短縮して熱水殺菌による各部材へのダメージを抑制し、かつ、熱水殺菌後の系内の生菌数を十分に低減することで、長期間安定して純水を製造できるようにすることも望まれている。
【００１４】
本発明は上記した問題を解消するためになされたものであり、逆浸透膜装置と電気脱イオン装置を、原水を用いて一括して熱水殺菌処理することができるとともに、電気脱イオン装置への影響を極力抑え、純水製造装置の寿命を延長することのできる医薬品用の純水製造装置の殺菌方法及び医薬品用の純水製造装置を提供することを目的とする。
【課題を解決するための手段】
【００１５】
熱水殺菌処理時には、熱水を循環させるだけでなく循環水の温度を変化（昇温、降温）させるため、純水製造装置内で様々な現象が起こり得る。例えば、温度上昇により水の粘度が低下することで逆浸透膜装置の透過水圧が上昇するだけでなく、熱水殺菌処理時に熱水を通水すると、純水製造装置を構成する各部材が膨張するなど局所的な変形が生じることも考えられる。そして、この水の粘度の低下や部材の変形により循環水の流量が当初設定した設定値から変動する可能性もある。この循環水の流量の変動は、昇温速度や降温速度の変動につながり、十分な殺菌処理の妨げになったり、各装置を劣化させる原因となったりするおそれもある。
【００１６】
医薬品用の純水製造装置において水質の悪化や各装置の劣化が生じた場合には、純水製造装置の運転を停止し、構成部材の交換等を行う必要がある。そして、純水製造時においても、定期的に装置の点検や水質検査を行い、水処理装置のメンテナンスを行うことが必要である。
このような保守点検管理の頻度を削減して長期間安定して純水を製造できるよう、熱水殺菌処理時には次の２点、第１に系内が十分に殺菌されること、第２に、各装置の劣化を極力抑制すること、が重要である。
【００１７】
ちなみに、逆浸透膜装置と電気脱イオン装置を直結した状態で、処理水水質が低下するまで長時間熱水通水を行ったときの電気脱イオン装置のイオン交換膜には、劣化による不可逆的な変形が発見されている。
【００１８】
そこで、本発明者らは逆浸透膜装置と電気脱イオン装置を原水を用いて一括通水して熱水殺菌処理し、長期間安定して純水を製造する方法を得るべく研究を重ね、純水製造装置の種々の劣化原因について、その起こり得る頻度や純水製造に与える影響の重要度など、特に日常的な点検の必要な事項について調査を行ったところ、次のようであることが分かった。
【００１９】
すなわち、医薬品用の純水製造装置の劣化の原因としては、
１．逆浸透膜装置及び電気脱イオン装置を構成する部材の部分的な変形、変性
２．電気脱イオン装置の破損
３．熱水殺菌時の熱水の温度や循環量の不足
があり、１〜３の順に発生頻度が高いことが分かった。
【００２０】
本発明者らは、１．浸透膜装置及び電気脱イオン装置を構成する部材の部分的な変形、変性及び２．電気脱イオン装置の破損、を防止することで、純水製造装置を長寿命化し、より安定に純水を製造することができる可能性があると考えた。
【００２１】
さらに、上記した２点の劣化原因は、主に熱水殺菌中時の熱水の温度変動や各装置への熱水の供給圧力の変化に起因するものである可能性が高いと考え、本発明者らは、逆浸透膜装置の出水側に圧力センサーを配置し、この圧力センサーの検出圧力が所定の値で厳密に一定となるように、逆浸透膜装置の前段のポンプをフィードバック制御してこの透過水を電気脱イオン装置へ供給したところ、熱水通水時の電気脱イオン装置の供給水の温度変化や圧力を安定に維持できることを見出した。
また、上記したように圧力センサーの検出値を一定とすることで、熱水殺菌を繰り返した場合にも、これまで流量が変動しやすく循環水温度の上昇やその温度を維持しにくかった部分での十分な熱水温度や熱水流量の確保を可能とし、その結果保守点検管理の頻度の削減を可能とした。
【００２２】
そして、これにより効率よく熱水殺菌を行って、各水処理装置の寿命を延長し、長期間安定した純水の製造を可能とした。
【００２３】
本発明はかかる知見に基づいてなされたものであり、本発明の医薬品用の純水製造装置の殺菌方法は、原水タンクと純水タンク又はユースポイントとを結ぶ処理ラインに沿って、ポンプ、熱交換器、逆浸透膜装置及び電気脱イオン装置を順に備え、前記逆浸透膜装置の濃縮水配管、前記電気脱イオン装置の濃縮水並びに電極水配管及び前記電気脱イオン装置の処理水配管を前記原水タンクと開閉バルブを介してそれぞれ接続する循環ラインを備えた純水製造装置の殺菌方法であって、前記処理ラインの前記逆浸透膜装置の透過水配管内に圧力センサーを配置するとともに前記ポンプを回転数可変ポンプとして、熱水を前記処理ライン及び前記循環ラインに循環させつつ、前記圧力センサーの出力が一定となるよう前記回転数可変ポンプの回転数を制御することを特徴とする。
【００２４】
本発明によれば、熱水による殺菌処理の際に、熱水の温度変化や流量を安定に維持することができ、電気脱イオン装置への負荷を軽減することができる。その結果、純水製造装置の寿命を延長することができる。
【００２５】
本発明の殺菌方法は、前記熱水は、前記原水タンクの原水を前記熱交換器で加熱することにより生成することが好ましく、前記圧力センサーの出力は、０．０３０〜０．３０ＭＰａの範囲で一定とされることが好ましい。この場合、循環水の昇温効率を向上させて殺菌処理効率を向上させることができる。また、前記熱水の温度が６０℃以上であることが好ましい。この場合、十分な殺菌処理を行うことができる。
【００２６】
さらに、前記原水タンクへの原水の供給を停止して、前記原水タンクに貯留されている原水を前記処理ライン及び前記循環ラインに循環させつつ、前記原水の少なくとも一部を系外に排出して前記原水を前記熱交換機で加熱することが好ましい。このようにして循環水を昇温させることで昇温効率を向上させることができる。
【００２７】
また、非加熱の原水を前記原水タンクに供給しつつ前記処理ライン及び前記循環ラインに循環させ、前記逆浸透膜装置の濃縮水の少なくとも一部を系外に排出することで前記純水製造装置の系内を冷却することが好ましい。この場合、系内の冷却のために熱交換器に供給する冷水が不要であり、また冷水を供給するための設備も不要である。そのため、殺菌処理工程管理を容易とし、殺菌処理時間を短縮することができる。
【００２８】
本発明の医薬品用の純水製造装置態は、原水タンクと純水タンク又はユースポイントとを結ぶ処理ラインに沿って、回転数可変ポンプ、逆浸透膜装置及び電気脱イオン装置を順に備え、前記逆浸透膜装置の濃縮水配管、前記電気脱イオン装置の濃縮水配管並びに電極水配管及び前記電気脱イオン装置の処理水配管を前記原水タンクと開閉バルブを介してそれぞれ接続する循環ラインを備えた純水製造装置であって、前記処理ラインの前記逆浸透膜装置の透過水配管内に設置された圧力センサーと、前記圧力センサーの出力により前記回転数可変ポンプの回転数を制御する制御装置と、を備えたことを特徴とする。
【００２９】
本発明の純水製造装置は、原水を循環させて殺菌処理を行うことができるため、低コストで殺菌処理を行うことができ、滞留部を極力有しない純水装置を構成することができる。
さらに、純水製造装置の系内を定常化して熱水殺菌できるため、純水製造装置の寿命を延長することができる。
【００３０】
本発明の純水製造装置は、さらに、前記処理ラインの前記回転数可変ポンプの後段に熱交換器を備えることが好ましい。
この場合、さらに、循環水の昇温時間を短縮し殺菌処理効率を向上させることができる。
【発明の効果】
【００３１】
本発明の殺菌方法及び純水製造装置によれば、逆浸透膜装置と電気脱イオン装置を、原水を用いて一括で通水して殺菌処理することができるとともに、純水製造装置の寿命を延長する効率のよい殺菌方法を提供することができる。
また、保守点検管理を簡素化することができる製造装置の殺菌方法及び医薬品用の純水製造装置を提供することができる。
さらに、滞留部を極力有しない純水製造装置を構成することができ、生菌の増殖をより抑制した効率のよい殺菌方法を提供することができる。
【図面の簡単な説明】
【００３２】
【図１】本発明の純水製造装置の一実施形態を示す概略構成図である。
【図２】実施例の殺菌方法による電気脱イオン装置の供給水温及び逆浸透膜装置の透過水圧力の変化を示すグラフである。
【図３】比較例の殺菌方法による電気脱イオン装置の供給水温及び逆浸透膜装置の透過水圧力の変化を示すグラフである。
【発明を実施するための形態】
【００３３】
以下に、本発明を実施するための形態を、図面を参照しながら詳細に説明する。本発明は以下の実施形態に限定されるものではない。
【００３４】
図１は、本発明の純水製造装置の一実施形態を示す概略構成図である。
純水製造装置１は、原水を受け入れて貯留する原水タンク１０、原水タンク１０に貯留された原水を処理ライン及び循環ラインに循環させるためのポンプＰ１、ポンプＰ１の後段に備えられ、循環水の温度を調節する熱交換器１１、熱交換器１１で熱交換された循環水を逆浸透膜装置１２へ供給するポンプＰ２、循環水からイオン成分や微粒子、有機物を除去する逆浸透膜装置１２、逆浸透膜装置１２の透過水中のイオン成分をさらに除去する電気脱イオン装置１３を処理ラインであるラインＬ１に沿って備えている。
【００３５】
本実施形態の純水製造装置１は、原水タンク１０の直下の処理ラインＬ１内に温度測定手段１６を備えている。
【００３６】
純水製造装置１は、原水を原水タンク１０に供給するラインＬ２と、原水タンク１０から、図示しない純水タンク又はユースポイントまでの流路を構成するラインＬ１と、逆浸透膜装置１２の濃縮水を排出するラインＬ３と、電気脱イオン装置１３の濃縮水及び電極水を排出するラインＬ５を備えている。また、ラインＬ３から分枝されて原水タンク１０に接続されたラインＬ４、ラインＬ５から分枝されて原水タンク１０に接続されたラインＬ６、ラインＬ１の電気脱イオン装置１３の後段から分岐され原水タンク１０に接続されたラインＬ７をそれぞれ備えている。
純水製造装置１は、このようにラインＬ１、ラインＬ４、ラインＬ６及びラインＬ７により、原水タンク１０を介した循環ラインが構成されている。
【００３７】
ラインＬ１上の純水タンク又はユースポイントの近傍にはバルブＶ１が介在されている。また、ラインＬ２〜ラインＬ７にはバルブＶ２〜バルブＶ７が介在されている。
【００３８】
そして、ポンプＰ１，Ｐ２は必要に応じて回転数可変のポンプとする。また、各バルブを必要に応じて開度可変バルブとする。例えば、少なくともバルブＶ４を開度可変バルブとする。
【００３９】
また、純水製造装置１の処理ラインの、逆浸透膜装置１２の透過水配管内の電気脱イオン装置１３の直前に、電気脱イオン装置１３に供給される循環水の圧力を測定する圧力センサー１４が配置されている。
【００４０】
純水製造装置１は、ポンプの回転数やバルブの開度を、原水タンクへの原水の供給流量、逆浸透膜装置１２の透過水流量、濃縮水流量などに応じて制御する制御装置１５を備えている。また、制御装置１５は、あらかじめ設定された昇温速度や降温速度、各工程での熱水温度に応じて、熱交換器に供給する熱媒体流量や原水の供給流量を制御するようになっている。
【００４１】
純水製造装置１には、上記した水処理装置以外にも、原水や製造される純水の水質等に応じて従来公知の水処理装置が備えられていてもよい。例えば、より高水質の医薬品用の純水を得るために、逆浸透膜装置１２と電気脱イオン装置１３の間に、脱気膜装置が備えられていてもよく、電気脱イオン装置１３の後段に紫外線酸化装置が備えられていてもよい。
【００４２】
純水製造装置１による純水製造時には、バルブＶ１〜Ｖ３及びバルブＶ５が開放され、バルブＶ４，Ｖ６，Ｖ７は閉じられている。原水がラインＬ２から原水タンク１０に供給され、原水タンク１０からポンプＰ１を介して処理ラインＬ１に送り出される。原水は、熱交換機１１を経てポンプＰ１，Ｐ２により加圧されて逆浸透膜装置１２、電気脱イオン装置１３で不純物が除去されて純水タンク又はユースポイントへ供給される。
【００４３】
本実施形態の純水製造装置１では、純水を製造する前に、実施形態の殺菌方法により殺菌処理する。殺菌処理を行い、純水製造装置１が純水の製造に適した温度に冷却されてから、原水タンクに原水を導入する水張り工程を行い、純水を製造する通常運転を行う。
次に、本実施形態の殺菌方法について説明する。
【００４４】
[水抜き工程]
本実施形態では、殺菌処理の初期に、原水タンク１０に貯水されていた原水の少なくとも一部を系外に排出する水抜き工程を行う。
【００４５】
水抜き工程では、原水タンク１０に原水が貯留された状態で原水の供給を停止し、この原水をポンプＰ１で熱交換器１１に供給し、熱交換器１１により温度測定手段１６による測定温度が３８〜４０℃程度となるまで加熱する。加熱された原水をポンプＰ２により所定の圧力で逆浸透膜装置１２に供給し、逆浸透膜装置１２の透過水を続いて電気脱イオン装置１３に供給し、電気脱イオン装置１３の処理水を原水タンク１０に循環させる。
【００４６】
このとき、バルブＶ１，Ｖ２，Ｖ６を閉鎖し、バルブＶ３〜Ｖ５，Ｖ７を開放して、原水タンク１０の貯水量が通常運転時の２０〜３０％程度となるように逆浸透膜装置１２の濃縮水の一部を系外に排出し、残りを原水タンク１０に循環させる。電気脱イオン装置１３の濃縮水及び電極水は系外に排出する。
【００４７】
水抜き工程で、原水タンクの貯水量を上記した範囲とすることで、循環水の昇温時間を短縮することができる。そのため、殺菌処理効率を向上させることができる。さらに、熱水殺菌時に所定の水質以上の水を循環させることができる。そのため、熱水殺菌のために原水を処理する設備を削減できるし、原水を処理した循環水をあらかじめ貯留するためのタンクや、この循環水を導入する配管や部材など滞留部となりうる部材を削減することができる。
【００４８】
原水は、水抜き工程において逆浸透膜装置に通水されて水質が向上しているため、電気脱イオン装置への負荷を軽減することができる。また、水抜き工程では、後述する熱水殺菌工程で循環させる熱水の水質をより向上させ、各装置に備えられる膜の劣化を抑制するために、電気脱イオン装置は電圧を印加させていてもよい。
【００４９】
［昇温工程及び熱水殺菌工程］
昇温工程に次いで、循環水を熱交換器１１によって６０℃程度以上、より好ましくは９０℃程度まで加熱しつつ循環させる昇温工程を行う。
【００５０】
具体的には、水抜き工程において温度測定手段１６により測定される循環水の温度が４０℃となったときにポンプＰ２を停止する。バルブＶ１，Ｖ２，Ｖ３，Ｖ５を閉じ、バルブＶ４，Ｖ６，Ｖ７を開くとともに、熱交換器１１に熱源の蒸気を供給して、原水タンク１０の原水を加熱しつつ処理ラインＬ１、循環ラインＬ４，Ｌ６，Ｌ７に循環させる。そして、循環水の温度が６０℃〜９０℃になったところで、熱水温度を前記した温度で保ちつつ循環させる熱水殺菌工程を行う。熱水殺菌工程では、熱交換機１１の熱源の蒸気量を温度測定手段１６の検出値に基づいて調節し、循環水がほぼ一定温度となるようにして循環させる。
【００５１】
逆浸透膜装置や電気脱イオン装置へのダメージを軽減するために昇温工程での昇温速度は１〜２℃／分程度であることが好ましい。
【００５２】
本実施形態では、耐熱性を有する部材を用いた逆浸透膜装置及び電気脱イオン装置を使用するが、熱水殺菌工程では、高温の熱水がこれらの部材と所定の時間接触することとなる。そのため、熱水殺菌工程における逆浸透膜やイオン交換膜、イオン交換樹脂は常温よりも循環水の圧力により変形、変質などの劣化を起こしやすい環境にあると考えられる。
【００５３】
さらに、逆浸透膜装置の膜モジュールは複雑で精密に構成されており、高温での温度変動や圧力変動により機械的なダメージを受けるおそれがある。
通常、逆浸透膜装置では、透過水流量の変化に伴い、得られる透過水水質も変化するが、上記したような逆浸透膜装置の劣化は透過水流量の低下を招き、ひいては透過水質の悪化につながるおそれがある。
【００５４】
さらに、逆浸透膜装置の経年劣化による流量の低下は、純水製造装置への各部への十分な温度かつ十分な流量での熱水の供給の妨げとなるため、日常的に各所での循環水の流量を点検し、バルブやポンプの出力を適宜調節する等の操作が必要であった。
【００５５】
そこで、本実施形態では、昇温工程、熱水殺菌処理及び後述する降温工程を通じて、圧力センサー１４によって、逆浸透膜装置１２の透過水配管（電気脱イオン装置１３の入口水配管）内の圧力を測定し、制御装置１５によって、この圧力が一定になるようにポンプＰ１の回転数を制御する。
【００５６】
これにより、系内の流量や温度変化を定常化するとともに逆浸透膜装置の透過水量の減少やその水質の悪化を抑制することができる。そして逆浸透膜装置の透過水水質の悪化を抑制できるので、この水質が電気脱イオン装置の通水基準水質を超えることによる電気脱イオン装置の劣化を抑制することができる。
さらに、逆浸透膜装置の透過水流量を一定とすることで、循環水の流量の低下を抑制し、純水製造装置系内に十分な温度かつ十分な流量の熱水を行き渡らせることができるから、熱水殺菌処理を繰り返した場合にも、生菌数を極力低減することができ、熱水殺菌効率を向上させることができる。
【００５７】
圧力センサーの設定圧力は、電気脱イオン装置に備えられるイオン交換膜の破断強度に応じて決定することができ、例えば０．０３〜０．３０ＭＰａの範囲とする。また、制御装置の圧力制御はあらかじめ設定した設定圧に対して±０．０１〜０．０５ＭＰａの範囲で厳密に一定になるように、インバータ制御により行うことが好ましい。
【００５８】
これにより、昇温工程及び熱水殺菌工程における系内の状態を定常化して、より高温での殺菌を可能とするとともに、イオン交換樹脂やイオン交換膜への熱や圧力によるダメージを軽減することができる。
【００５９】
また、電気脱イオン装置は、循環水の水質の悪化を抑制するために、循環水温が４０℃以下では電圧を印加することが好ましく、電気脱イオン装置への負荷を軽減するために、循環水温が４０℃を超えたときには電圧を印加させないことが好ましい。
【００６０】
また、逆浸透膜装置の逆浸透膜面では、透過水流量が大きくなると、膜面で阻止される不純物量が増大し、供給水側の膜面での不純物濃度が上昇するいわゆる濃度分極が起こる場合があり、スケールを生成する一因となるおそれがある。前述したように、熱水循環時には熱水の粘度低下や各水処理装置の構成部材の局所的変形が生じる可能性があり、これにより透過水流量も一時的又は部分的に変動する可能性がある。そのため、濃度分極が部分的に起こり、逆浸透膜面上のスケールの形成が促進されるおそれがあると考えられる。
【００６１】
さらに、本実施形態では、スケールの原因となる硬度成分を含んだ市水等を原水として用い、これを逆浸透膜装置等に一括通水して殺菌処理を行うため、軟水や純水を使用する場合に比べて循環水中の硬度成分量が多くなっている。
【００６２】
そのため、本実施形態では、逆浸透膜面での流速を均一化するとともに、硬度成分が供給されることによる電気脱イオン装置への負荷を軽減するという観点から、昇温工程及び熱水殺菌工程を通じて、逆浸透膜装置における濃縮水流量／透過水流量の比（以下、Ｃ／Ｐと略称する。）を一定以上とすることが好ましい。これにより、逆浸透膜面での流速を上昇させて、膜面付近の不純物濃度を低下させ、その結果、電気脱イオン装置に悪影響を及ぼすことない程度まで逆浸透膜装置の透過水質を向上させることができる。さらに、熱水の温度変化等に伴う逆浸透膜装置への供給水圧の変動による逆浸透膜面へのスケールの生成を抑制することができる。
【００６３】
Ｃ／Ｐは、逆浸透膜装置における透過率が２．５％未満となる値とすることが好ましい。そのため、本実施形態では、例えば、逆浸透膜装置の供給水及び透過水の水質を測定することで透過率を測定して、測定された透過率に基いてＣ／Ｐを決定することができる。本実施形態において、Ｃ／Ｐは４．５以上とすることが好ましく、５．０〜１０．０とすることがより好ましい。これにより、逆浸透膜面へのスケールの生成を抑制することができる。Ｃ／Ｐが５．０未満であると膜面にスケールが生成し易くなり、１０．０を超えるとポンプの大型化が必要となる等、実用的ではない。
なお、本明細書で透過率とは、逆浸透膜装置の供給水中の不純物濃度（ａｓ  ＣａＣｏ３）をＣｆ、透過水中のそれをＣｐとしたときに（Ｃｐ／Ｃｆ）×１００（％）で示される値である。
【００６４】
昇温工程及び熱水殺菌工程でのＣ／Ｐは、バルブＶ４の開度で調節することが好ましい。バルブＶ４を開度可変の電磁弁として、圧力センサー１４の出力に基いて、制御装置１５によりバルブ１４の開度を調節することができる。また、逆浸透膜装置の濃縮水配管に図示しない流量測定センサー、圧力センサー等を介在させ、この流量測定センサー、圧力センサー等の出力に基いてバルブＶ４の開度を制御することもできる。
【００６５】
また、バルブＶ４をバイパスするバイパスラインを設け、このバイパスラインに開度可変バルブを介設して、該開度可変バルブをあらかじめある開度で固定しておき、オンにしたときにこの開度となるよう、オン・オフ制御してＣ／Ｐを調節することもできる。
【００６６】
熱水殺菌工程時間は、熱水の温度によっても異なるが、十分な殺菌を行うために、昇温後２０〜６０分程度行うことが好ましい。例えば６０℃の熱水を循環させる場合には、４５分程度、８０℃の熱水を循環させる場合には３０分程度、９０℃の熱水を循環させる場合には２０分程度であることが好ましい。
【００６７】
［降温工程］
純水製造装置１による純水の製造は、熱水の循環後に、系内が純水製造に適した温度に冷却されてから行う。そのため、本実施形態では、熱水殺菌工程の後に、循環水の温度を低下させて純水製造装置１の系内を冷却する降温工程を行うことが好ましい。
【００６８】
降温工程は、熱交換器１１に冷水を供給するなどの従来公知の方法により行うことができる。
【００６９】
降温工程における他の方法として、非加熱の原水を原水タンクに供給しつつ処理ライン及び循環ラインに循環させ、逆浸透膜装置の濃縮水の少なくとも一部を系外に排出して系内を冷却することができる。
【００７０】
このとき、原水の供給流量と、逆浸透膜装置の濃縮水の排出流量を同量とする、すなわち、原水タンク１０の貯水量を一定に維持することが好ましい。
【００７１】
具体的には、バルブＶ２を開放し、新たに非加熱の原水を原水タンク１０に供給する。この新たに供給された非加熱の原水を循環させている熱水とともにポンプＰ１を介して循環ラインに循環させる。バルブＶ３を開放し、バルブＶ４の開度を調節して原水タンクに供給される原水の供給流量と同じ流量で逆浸透膜装置１２の濃縮水を系外に排出する。
この場合、系内の保水量を一定とすることができるから、例えば急激な降温による電気脱イオン装置へのダメージを防止することができ、さらに、降温時間を短縮することができる。
【００７２】
バルブＶ４の開度調節は、圧力センサー１４の出力で制御装置１５により行うことができる。また、逆浸透膜装置の濃縮水配管に図示しない流量測定センサーを介在させ、この流量測定センサーの出力で制御装置１５によりバルブＶ４の開度を制御することもできる。
【００７３】
また、原水タンク１０に貯水量を検知する貯水レベルセンサーを設置して、貯水レベルセンサーの出力で制御装置１５によりバルブＶ４の開度を調節してもよい。
【００７４】
降温工程では、昇温工程及び熱水殺菌工程と同様に、Ｃ／Ｐを一定以上としながら原水を供給することが好ましい。これにより、逆浸透膜装置の逆浸透膜面での流速を一定以上とし、逆浸透膜でのスケールの形成を抑制することができる。また、濃縮水の流量を一定とすることができるため、系内のより高温の循環水を一定流量で系外に排出し、降温時間を短縮することができる。
【００７５】
また、循環水の温度の低下とともに、逆浸透膜装置１２の透過水の圧力を一定とするようにポンプＰ２で循環水の圧力を上げることが好ましい。
【００７６】
なお、系内の冷却時には、同時に循環水は熱交換器１１に冷水を供給して冷却してもよく、系内が過度に冷却された場合には熱交換器１１に蒸気などを供給して加熱してもよい。この場合、降温速度を安定に維持することができる。
【００７７】
降温速度は、逆浸透膜装置や電気脱イオン装置に備えられる部材への温度変動による影響を軽減する観点から、１〜２℃／分程度が好ましい。
【００７８】
このように、本実施形態の殺菌方法では、熱水殺菌を繰り返した場合にも、循環水の流量や温度の変動を抑制することができるため、流量や昇温・降温速度の変移を抑制して、殺菌処理時の系内の状態を定常化し、殺菌処理効率を向上させることができる。
また、これにより、逆浸透膜装置や電気脱イオン装置の劣化を抑制して保守点検管理を容易とすることができる上に、純水製造装置の寿命を延長することができる。
【実施例】
【００７９】
次に本発明を実施例及び比較例を用いて詳細に説明する。
実施例及び比較例において用いた装置及び条件は次のようである。
【００８０】
原水：厚木市市水を活性炭装置及びプレフィルターで処理したもの。
原水タンク１０：容量１，０００Ｌ、
逆浸透膜装置１２：商品名  Ｄｕｒａｔｈｅｒｍ  ＲＯ  ８０４０  ＨＦ、米国ＧＥ社製  膜モジュール２本、
電気脱イオン装置１３：商品名ＭＫ−３  ｍｉｎｉ  ＨＴ  米国ＧＥ社製、
【００８１】
［実施例１]
図１に示される純水製造装置１の殺菌処理を行った。
水抜き工程では、原水を温度測定手段１６による測定温度が４０℃となるまで加熱し、同時に原水タンクの水量が、通常運転時の２５％となるまで逆浸透膜装置１２の濃縮水の一部を排出した。
【００８２】
殺菌処理は、昇温工程で制御装置１５での昇温速度の設定を１℃／分として温度測定手段１６による測定温度が９０℃となるまで加熱し、熱水殺菌工程でこの熱水を３５分間、循環させて行った。このとき、圧力センサー１４の出力を制御装置１５に入力し、圧力センサー１４の出力が０．１５±０．０１ＭＰａの一定となるようポンプＰ１の回転をインバータ制御した。
【００８３】
次いで、降温速度の設定を１℃／分として、原水タンク１０に原水を供給し、系内を温度測定手段１６による測定温度が４０℃となるまで冷却した。
【００８４】
次いで、原水タンクに原水を導入した後、医薬品用の純水を製造する工程と、熱水殺菌処理とをそれぞれ交互に繰り返し行った。
【００８５】
なお、殺菌処理時の系内の保水量は、３３０Ｌであり、循環ラインと原水タンクの接続部にスプレーボールを設置して、原水タンク上部壁面にも熱水が接触するようにした。また、電気脱イオン装置は、供給水温が４０℃以下のときに電圧を印加し、４０℃を超えたときには電圧の印加を停止するようにした。
【００８６】
このとき、電気脱イオン装置の入水口側に温度計を配置して電気脱イオン装置の供給水温を測定した。図２に、熱水殺菌１回目の、電気脱イオン装置の供給水温と、圧力センサー１４で測定される循環水の圧力を示す。図２において、０〜３５分が水抜き工程、３５〜９５分が昇温工程、９５〜１３０分が熱水殺菌工程、１３０〜１８５分が降温工程である。
【００８７】
実施例１では、１５０回の熱水殺菌処理を繰り返す間、熱水殺菌処理時の循環水の水質や流量変動は１回目とほぼ同じであり、１回目とほぼ同じ昇温〜降温時間で熱水殺菌処理を行うことができた。特に、電気脱イオン装置の処理水導電率は１５０回熱水殺菌後も１．０μＳ／ｃｍ以下の水質を維持することができた。なお、熱水殺菌１５０回目後のバルブＶ１の直後での採水中の生菌数は０個／ｍＬであり、十分な熱水殺菌を行うことができた。
【００８８】
［比較例１］
実施例１において、ポンプＰ２のフィードバック制御を行わないこと以外は実施例１と同じ条件で純水製造装置１の殺菌処理を行った。
比較例１における、熱水殺菌１回目の電気脱イオン装置の供給水温と、圧力センサー１４で測定される循環水の圧力を図３に示す。図３において、０〜５０分が水抜き工程、５０〜１００分が昇温工程、１００〜１４０分が熱水殺菌工程、１４０〜２１５分が降温工程である。
【００８９】
比較例１では、５０回の熱水殺菌処理を繰り返す間、熱水殺菌処理時の循環水の水質や流量変動は１回目とほぼ同じであり、１回目とほぼ同じ昇温〜降温時間で熱水殺菌処理を行うことができたが、電気脱イオン装置の電気脱イオン装置の処理水導電率が熱水殺菌５０回目後に１．０μＳ／ｃｍを超えたため、試験を中止した。
【００９０】
なお、各図において、逆浸透膜装置をＲＯ、電気脱イオン装置をＥＤＩと略称する。
【００９１】
実施例１では、圧力センサー１４で測定される逆浸透膜装置の透過水圧を一定となるように制御しているため、圧力センサー１４の出力から電気脱イオン装置の循環水の圧力に起因する経時的な負荷を算出でき、保守点検管理を簡易化することができる。
また、実施例１では、逆浸透膜装置の透過水圧を一定に保っているため、熱水殺菌を繰り返しても、循環水流量の低下や、これに起因して起こる熱水温度の不足、熱水流量の不足が生じるおそれがなく、熱水殺菌にかかる時間を延長することなく、同じ操作時間で熱水殺菌を繰り返し行うことができる。そのため、保守点検管理を簡易とすることができる。
【００９２】
さらに、圧力センサーの出力を一定とすることで逆浸透膜装置の透過水水質を安定に保ち、その結果、電気脱イオン装置の劣化を抑制し、純水製造装置の寿命を延長することができる。
【００９３】
なお、実施例１では純水製造装置内の生菌数を所定の値未満に低減しつつ、純水製造装置の寿命が延長されていることが分かる。
【００９４】
これに対して比較例１では、電気脱イオン装置の供給水の圧力が変動しているため、電気脱イオン装置逆浸透膜装置の劣化は日常的な点検で検出する必要がある他、逆浸透膜装置透過水圧の低下による電気脱イオン装置供給水質の低下を点検し、逆浸透膜装置供給水圧をその都度調整する必要がある。
【００９５】
このように、実施形態の熱水殺菌方法及び純水製造装置によれば、系内が十分に殺菌される温度や流量を安定に維持するとともに、電気脱イオン装置へのダメージを軽減することができる。そのため、殺菌処理効率を向上させることができる。
さらに、各水処理装置の保守点検管理を簡易化することで熱水殺菌効率を向上させることができる。
【符号の説明】
【００９６】
１…純水製造装置、１０…原水タンク、１１…熱交換器、１２…逆浸透膜装置、１３…電気脱イオン装置、１４…圧力センサー、１５…制御装置、１６…温度測定手段。
【図１】
2014124481.tif 000003
【図２】
2014124481.tif 000004
【図３】
2014124481.tif 000005